(57)【特許請求の範囲】
【請求項１】
少なくとも、二酸化チタン粒子と、炭酸ナトリウム粒子と、炭酸水素ナトリウム粒子と、を含有し、各粒子が粉状に粉砕混合され、洗浄剤と混ぜ合わされて使用され、
前記二酸化チタン粒子は、アパタイトにより被覆された複合体粒子であり、
さらに、トリポリ燐酸ナトリウム、クエン酸、サイクロデキストリン、メタ珪酸ナトリウム及び珪酸カルシウムが添加されており、
前記複合体粒子の重量成分比は、０．３乃至１．０％であり、
前記炭酸ナトリウム粒子と前記炭酸水素ナトリウム粒子の重量成分比は、それぞれ２０乃至３０％であることを特徴とする洗浄添加剤。
【請求項２】
前記洗浄剤は、洗浄用化粧水、液体ソープ、シャンプー、入浴剤、歯磨き剤、家庭用一般洗浄剤又は医療機械器具用洗浄剤である請求項１に記載の洗浄添加剤。
【請求項３】
二酸化チタン粒子、炭酸ナトリウム粒子及び炭酸水素ナトリウム粒子を混合する工程と、
トリポリ燐酸ナトリウム、クエン酸、サイクロデキストリン、メタ珪酸ナトリウム及び珪酸カルシウムを添加する工程と、
前記二酸化チタン粒子、炭酸ナトリウム粒子及び炭酸水素ナトリウム粒子と、トリポリ燐酸ナトリウム、クエン酸、サイクロデキストリン、メタ珪酸ナトリウム及び珪酸カルシウムと、の混合物を粉砕し、前記粒子の直径を少なくとも１００μメートル以下にする工程と、
の各工程を有し、
前記二酸化チタン粒子は、アパタイトにより被覆された複合体粒子であり、
前記複合体粒子の重量成分比は、０．３乃至１．０％であり、
前記炭酸ナトリウム粒子と前記炭酸水素ナトリウム粒子の重量成分比は、それぞれ２０乃至３０％であることを特徴とする、洗浄剤と混ぜ合わされて使用される洗浄添加剤の製造方法。
【請求項４】
前記洗浄剤は、洗浄用化粧水、液体ソープ、シャンプー、入浴剤、歯磨き剤、家庭用一般洗浄剤又は医療機械器具用洗浄剤である請求項３に記載の洗浄添加剤の製造方法。
【発明の詳細な説明】
【技術分野】
【０００１】
本発明は、化粧水、液体ソープ、シャンプー、入浴剤、歯磨き剤、浴槽や流し台洗浄剤等の家庭用洗浄剤又は医療機械器具用洗浄剤と共に使用される洗浄添加剤及びその製造方法に関する。
【背景技術】
【０００２】
光触媒活性物質の代表的な例としては、二酸化チタン（ＴｉＯ２）がよく知られている。粉末状の二酸化チタンを液体中に入れて光を照射すると、水の分解反応が進行し、液体中の水分が水素と酸素とに分解される。光触媒は、このような強力な酸化作用、還元作用により、殺菌、有害物質の分解、消臭等の浄化作用を発揮することができる。そこで、このような効果を利用して、従来から光触媒活性物質を含有させた洗浄剤が知られている（例えば、特許文献１）。
【特許文献１】特開２００５−２０６４７７号公報
【発明の開示】
【発明が解決しようとする課題】
【０００３】
しかしながら、上記した従来の光触媒活性物質を含有する洗浄剤は、製造後長い時間に亘って光触媒活性物質が水分を含む洗浄剤中に置かれてしまうため、上記の作用が減退してしまうという問題があった。
【０００４】
一方、使用する直前に洗浄剤に光触媒活性物質を添加すれば、より少量の光触媒活性物質で、より大きな作用効果を発揮し得ることが確認された。
【０００５】
そこで本発明は、上記状況に鑑みて、化粧水、シャンプー、入浴剤、歯磨き剤、浴槽や流し台洗浄剤等の家庭用洗浄剤又は医療機械器具用洗浄剤に使用直前に添加して使用できる洗浄添加剤及びその製造方法を提供することを目的とする。
【課題を解決するための手段】
【０００６】
本発明は、上記課題を解決するために、少なくとも、二酸化チタン粒子と、炭酸ナトリウム粒子と、炭酸水素ナトリウム粒子と、を含有し、各粒子が粉状に粉砕混合され、洗浄剤と混ぜ合わされて使用され、前記二酸化チタン粒子は、アパタイトにより被覆された複合体粒子であり、さらに、トリポリ燐酸ナトリウム、クエン酸、サイクロデキストリン、メタ珪酸ナトリウム及び珪酸カルシウムが添加されており、前記複合体粒子の重量成分比は、０．３乃至１．０％であり、前記炭酸ナトリウム粒子と前記炭酸水素ナトリウム粒子の重量成分比は、それぞれ２０乃至３０％であることを特徴とする洗浄添加剤を提供する。
【００１０】
さらに、前記洗浄剤は、洗浄用化粧水、液体ソープ、シャンプー、入浴剤、歯磨き剤、家庭用一般洗浄剤又は医療機械器具用洗浄剤であるのが好適である。
【００１１】
一方、本発明は、上記課題を解決するために、二酸化チタン粒子、炭酸ナトリウム粒子及び炭酸水素ナトリウム粒子を混合する工程と、トリポリ燐酸ナトリウム、クエン酸、サイクロデキストリン、メタ珪酸ナトリウム及び珪酸カルシウムを添加する工程と、前記二酸化チタン粒子、炭酸ナトリウム粒子及び炭酸水素ナトリウム粒子と、トリポリ燐酸ナトリウム、クエン酸、サイクロデキストリン、メタ珪酸ナトリウム及び珪酸カルシウムと、の混合物を粉砕し、前記粒子の直径を少なくとも１００μメートル以下にする工程と、の各工程を有し、前記二酸化チタン粒子は、アパタイトにより被覆された複合体粒子であり、前記複合体粒子の重量成分比は、０．３乃至１．０％であり、前記炭酸ナトリウム粒子と前記炭酸水素ナトリウム粒子の重量成分比は、それぞれ２０乃至３０％であることを特徴とする、洗浄剤と混ぜ合わされて使用される洗浄添加剤の製造方法を提供する。
【００１４】
さらに、前記洗浄剤は、洗浄用化粧水、液体ソープ、シャンプー、入浴剤、歯磨き剤、家庭用一般洗浄剤又は医療機械器具用洗浄剤であるのが好適である。
【発明の効果】
【００１５】
本発明の洗浄添加剤及びその製造方法によれば、シャンプー、液体ソープ、入浴剤、歯磨き剤、浴槽や流し台洗浄剤又は医療機械器具用洗浄剤等の家庭用洗浄剤に添加することにより、洗浄剤の効果に加えてアパタイトに被覆された光触媒の殺菌、有害物質の分解、消臭効果を発揮させることができる。また、本発明の洗浄添加剤は使用直前に各種洗浄剤に添加されることによって、より少量の光触媒活性物質で、より大きな作用効果を発揮することができる。
【発明を実施するための最良の形態】
【００１６】
以下、本発明の実施の形態について、図面を参照しながら詳細に説明する。
【００１７】
図１は、本発明の一実施形態に係る洗浄添加剤の成分表である。図１に示すように、本発明の洗浄添加剤は少なくとも二酸化チタン又はアパタイトに被覆された二酸化チタンの複合体を重量比にして０．３〜１．０％、炭酸ナトリウムを２０〜３０％、炭酸水素ナトリウムを２０〜３０％含有した粉末である。このほか、サイクロデキストリンを４〜５％、トリポリ燐酸ナトリウムとクエン酸を４０〜５０％、メタ珪酸ナトリウムを４〜５％、珪酸カルシウムを０．３％、さらに含有している。
【００１８】
この洗浄添加剤は、使用直前にその都度各種洗浄剤に適量混合して使用される。各種洗浄剤とは、例えば、化粧水、液体ソープ、シャンプー、入浴剤、歯磨き剤、家庭一般洗浄剤又は医療機械器具用洗浄剤等を指すが、光触媒の殺菌作用、有害物質の分解作用、消臭作用等が活かされるものならば何であっても良い。例えばシャンプーに添加すれば頭皮の皮脂汚れを分解すると共に消臭することができる。また歯磨き剤に添加すれば煙草のヤニや飲食物等による着色、及び歯石等を分解し、さらに口臭を除去することもできる。
【００１９】
なお、炭酸ナトリウムと炭酸水素ナトリウムに代えて、溶解性の高いセスキ炭酸ナトリウム（炭酸ナトリウムと炭酸水素ナトリウムを混合し結晶化させたもの）を用いても良い。
【００２０】
次に、上記した洗浄添加剤の製造方法について説明する。
（ａ）まず、計量した酸化チタン粒子、炭酸ナトリウム粒子、炭酸水素ナトリウム粒子を混合する。
【００２１】
（ｂ）次に、計量したトリポリ燐酸ナトリウム、クエン酸、サイクロデキストリン、メタ珪酸ナトリウム、珪酸カルシウムを（ａ）の混合物に添加する。
【００２２】
（ｃ）そして（ｂ）の混合物を粉砕機により粉砕し、粒径が１００μメートル以下になるようにする。
【００２３】
このように、本発明によれば化粧水、シャンプー、液体ソープ、入浴剤、歯磨き剤、浴槽や流し台洗浄剤又は医療機械器具用洗浄剤等の家庭用洗浄剤に添加することにより、洗浄剤の効果に加えて光触媒の殺菌、有害物質の分解、消臭効果を発揮させることができる。また、本発明の洗浄添加剤は使用直前に各種洗浄剤に添加されることによって、より少量の光触媒活性物質で、より大きな作用効果を発揮することができる。
【００２４】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００２５】
本発明は、化粧水、液体ソープ、シャンプー、入浴剤、歯磨き剤、浴槽や流し台洗浄剤等の家庭用洗浄剤又は医療機械器具用洗浄剤と共に使用される洗浄添加剤及びその製造方法に関するものであり、産業上の利用可能性を有する。
【図面の簡単な説明】
【００２６】
【図１】本発明の一実施形態に係る洗浄添加剤の成分表である。
【図１】
0005394635.tif 000002